(57)【要約】【課題】給水パイプを複雑な形状に形成可能とすることで複雑なタンク形状にも対応させ、外観形状の制約をなくすことで、機能性とデザイン性を両立させたスチームアイロンを提供すること。【解決手段】ヒータ２により加熱されるベース３と、このベース３に形成した気化室６と、この気化室６を覆って前記ベース３の上面側に固着した気化室蓋４と、前記ベース３の上方に設けたベースカバー７と、前記ベースカバー７の上方に配置し、内部にポンプ装置１０を有した貯水用のタンク８と、前記タンク８内の水を前記ポンプ装置１０へ導く給水パイプ１１と、前記ポンプ装置１０から前記気化室６へ水を吐出する吐出口１３とを有し、前記給水パイプ１１は可撓性材料で形成したもので、機能性とデザイン性を両立させたスチームアイロンを提供することが可能となる。【選択図】図１
2006034313.tif 000002
【特許請求の範囲】
【請求項１】
ヒータにより加熱されるベースと、このベースに形成した気化室と、この気化室を覆って前記ベースの上面側に固着した気化室蓋と、前記ベースの上方に設けたベースカバーと、前記ベースカバーの上方に配置し、内部にポンプ装置を有した貯水用のタンクと、前記タンク内の水を前記ポンプ装置へ導く給水パイプと、前記ポンプ装置から前記気化室へ水を吐出する吐出口とを有し、前記給水パイプは、可撓性材料で形成したスチームアイロン。
【請求項２】
給水パイプは、熱可塑性樹脂で構成した請求項１に記載のスチームアイロン。
【請求項３】
給水パイプは、透明または半透明に構成した請求項１または２に記載のスチームアイロン。
【請求項４】
給水パイプと吐出口とポンプ装置とを給水パッキンで水密接続した請求項１〜３のいずれか１項に記載のスチームアイロン。
【発明の詳細な説明】
【技術分野】
【０００１】
本発明は、衣類等のしわ伸ばしを行うスチームアイロンに関するものである。
【背景技術】
【０００２】
従来、この種のスチームアイロンは、アイロンを垂直に立てた状態でもタンク内の水を吸い上げることで、スチームの噴出を可能にしていたが、給水パイプには防錆のためにステンレス材を使用していた（例えば、特許文献１参照）。
【０００３】
図２は、従来のスチームアイロンを示すもので、以下その構成について説明する。埋設したヒータ２により加熱されるベース３には気化室６が形成されており、その上部には気化室６へ供給する水を蓄えるタンク８を備えている。タンク８内には操作部９を上下動させることで機能するポンプ装置１０が備えてあり、ポンプ装置１０との間を給水パッキン１２により水密接続されている給水パイプ１１が設けられている。また、ポンプ装置１０から吐き出される水を気化室６へ導く吐出口１３についても給水パッキン１２で水密接続するよう構成したものである。
【０００４】
以上のように構成されたスチームアイロンについて、その動作を説明する。スチームを発生させるために、ヒータ２によって加熱されたベース３へタンク８内の水を送る必要があり、ポンプ装置１０に設けられた操作部９を上へ動作させることにより、水は給水パイプ１１から給水パッキン１２を通り、ポンプ装置１０内に一旦吸い上げられる。そして、再度操作部９を下へ動作させることによりポンプ装置１０内の水は吐出口１３から吐き出され、接続パッキン２０を通って気化室６へと供給される。以降この動作を繰り返すことによりアイロンを垂直に立てた状態でもスチームアイロンとして使用できるものである。
【特許文献１】特開２０００−５４９８号公報
【発明の開示】
【発明が解決しようとする課題】
【０００５】
しかしながら、このような従来のスチームアイロンでは、給水パイプ１１をステンレス材で構成しているために、複雑な形状をしたタンク８に対応するためには複雑な曲げ加工が必要となり、そのため亀裂の発生に繋がることから直管形状にせざるを得なかった。これはタンク８外観形状や内部における他の構成部材への大きな制約となっており、デザイン上も大きな制約となっていた。
【０００６】
本発明は、上記従来の課題を解決するもので、給水パイプを複雑な形状に構成可能とすることで複雑なタンク形状にも対応させ、外観形状の制約をなくすことで、機能性とデザイン性を両立させたスチームアイロンを提供することを目的としている。
【課題を解決するための手段】
【０００７】
本発明は上記目的を達成するために、スチームアイロンは、ヒータにより加熱されるベースと、このベースに形成した気化室と、この気化室を覆って前記ベースの上面側に固着した気化室蓋と、前記ベースの上方に設けたベースカバーと、前記ベースカバーの上方に配置し、内部にポンプ装置を有した貯水用のタンクと、前記タンク内の水を前記ポンプ装置へ導く給水パイプと、前記ポンプ装置から前記気化室へ水を吐出する吐出口とを有し、前記給水パイプは、可撓性材料で形成したものである。
【０００８】
これにより、給水パイプを任意の形状で容易に配置できることから、複雑な形状のタンクにも構成することができ、タンクの外観形状や内部の構成部材を気にする必要がなく、よりデザイン性の優れたスチームアイロンを実現させるものである。
【発明の効果】
【０００９】
本発明のスチームアイロンは、給水パイプを任意の形状に容易に構成することができることから、複雑な形状をしたタンクを備えたスチームアイロンにおいても、スチームアイロンを垂直に立てた状態でスチームの噴出を可能としたスチームアイロンを実現することができる。
【発明を実施するための最良の形態】
【００１０】
第１の発明は、ヒータにより加熱されるベースと、このベースに形成した気化室と、この気化室を覆って前記ベースの上面側に固着した気化室蓋と、前記ベースの上方に設けたベースカバーと、前記ベースカバーの上方に配置し、内部にポンプ装置を有した貯水用のタンクと、前記タンク内の水を前記ポンプ装置へ導く給水パイプと、前記ポンプ装置から前記気化室へ水を吐出する吐出口とを有し、前記給水パイプは、可撓性材料で形成したことにより、給水パイプを任意の形状で容易に配置できることから、複雑な形状のタンクにも構成することができ、タンクの外観形状や内部の構成部材を気にする必要がなく、よりデザイン性の優れたスチームアイロンを実現させることができる。
【００１１】
第２の発明は、上記第１の発明において、給水パイプを熱可塑性樹脂で構成させたことにより、給水パイプの曲げ加工による亀裂の発生を防ぐことができるので、複雑な形状をしたタンクを備えたスチームアイロンにおいても、長期間に亘り安定したスチーム噴出能力を保持可能なスチームアイロンを実現することができる。
【００１２】
第３の発明は、上記第１または第２の発明において、給水パイプを透明または半透明に構成させたことにより、タンク内部の給水パイプを外部から目立ちにくくすることができる。また、複雑な形状をしたタンクを備えたスチームアイロンにおいても、給水パイプ内部の異物混入をスチームアイロン外部から確認できることから、不具合箇所の発見を容易にすることができる。
【００１３】
第４の発明は、上記第１〜第３のいずれかの発明において、給水パイプと吐出口とポンプ装置とを給水パッキンで水密接続したことにより、水密接続構成を簡単な構成とすることができるので、長期間に亘り安定したスチーム噴出能力を保持可能で安価なスチームアイロンを実現することができる。
【００１４】
以下、本発明の実施の形態について、図面を参照しながら説明する。また、この実施の形態によって本発明が限定されるものではない。
【００１５】
（実施の形態１）
図１は、本発明の第１の実施の形態におけるスチームアイロンの部分横断面図である。図１において、アイロン本体１は、ヒータ２によって加熱されるベース３と、ベース３の上面側に固着した気化室蓋４で覆われ、ベース３の掛け面側に形成した噴出口５から噴出するスチームを発生させる気化室６と、ベース３の上方に設けたベースカバー７とを備えている。
【００１６】
アイロン本体１のベースカバー７の上方には、水を貯えるタンク８がアイロン本体１に対し、着脱可能に設けられている。このタンク８には、上下動自在の操作部９と、この操作部９の操作によって動作し、内部に貯えた水を気化室６に供給するポンプ装置１０とが内蔵されている。
【００１７】
給水パイプ１１は、タンク８に貯えられた水をポンプ装置１０に供給するためのパイプで、タンク８内部のタンク底部材１４に近接させて配置してある。この給水パイプ１１は、透明または半透明のシリコン樹脂等の可撓性を有する熱可塑性樹脂で形成してある。そして、この給水パイプ１１は、ポンプ装置１０の吸水口１０ａと給水パッキン１２で水密接続されている。
【００１８】
また、ポンプ装置１０の吐出口１３も、上記と同一の給水パッキン１２でタンク底部材１４と水密接続されており、逆止弁１５で閉塞している。
【００１９】
蓋体１６は、逆止弁１５をポンプ装置１０の吐出口１３の底部と挟持してタンク８の下方に水通路１７を形成し、導水路を形成する導水体１８の流入口１９とゴム等の可撓性材料で形成された接続パッキン２０で水密接続された開口部２１を有している。熱応動開閉弁装置２２は、ベース３の温度に基づいて気化室６への水の供給を制御するものである。
【００２０】
以上のような構成で、ポンプ装置１０の吐出口１３は、水通路１７を介して気化室６と連通させてあり、ベース３の温度が所定の温度に熱せられている時に、操作部９を操作すると、ベース３の噴出口５からスチームを噴出させることが可能なように構成してある。
【００２１】
以上のように構成したスチームアイロンについて、つぎに、その動作、作用を説明する。
【００２２】
気化室６が水の気化温度に加熱されているとき、熱応動部材２３がベース３の熱を感知して上方に反転し、熱応動開閉弁装置２２を押し上げて水通路１７が開く。この状態で、ポンプ装置１０の操作部９を上下動させると、給水パイプ１１から吸い込まれた水は給水パッキン１２を介してポンプ装置１０内に一旦吸いこまれ、再度操作部９を上下動させると、ポンプ装置１０内の水が、逆止弁１５の付勢力に抗して逆止弁１５を押し下げ、開かれたポンプ装置１０の吐出口１３から水通路１７内へ水が勢いよく押し出される。その水が導水体１８に形成した導水路を通り気化室６に供給されて気化し、スチームを噴出させることができる。
【００２３】
ここで、給水パイプ１１は、透明または半透明のシリコン樹脂等の可撓性を有する熱可塑性樹脂で形成してあるので、給水パイプ１１を任意の形状で容易に配置できることから、複雑な形状のタンク８にも構成することができ、タンク８の外観形状や内部の構成部材を気にする必要がなく、よりデザイン性の優れたスチームアイロンを実現させることができる。
【００２４】
また、給水パイプ１１の曲げ加工による亀裂の発生を防ぐことができるので、複雑な形状をしたタンク８を備えたスチームアイロンにおいても、長期間に亘り安定したスチーム噴出能力を保持可能なスチームアイロンを実現することができる。
【００２５】
また、タンク８内部の給水パイプ１１を外部から目立ちにくくすることができるとともに、給水パイプ１１内部の異物混入をスチームアイロン外部から確認できることから、不具合箇所の発見を容易にすることができる。
【００２６】
さらに、給水パイプ１１と吐出口１３とポンプ装置１０とを給水パッキン１２で水密接続したことにより、水密接続構成を簡単な構成とすることができるので、長期間に亘り安定したスチーム噴出能力を保持可能で安価なスチームアイロンを実現することができる。
【産業上の利用可能性】
【００２７】
以上のように、本発明にかかるスチームアイロンは、複雑な外観形状にもかかわらず容易に給水パイプの構成が可能となるので、衣類等のしわ伸ばしを行うスチームアイロンに限らず、各種蒸気使用器具等として有用である。
【図面の簡単な説明】
【００２８】
【図１】本発明の実施の形態１のスチームアイロンの部分横断面図
【図２】従来のスチームアイロンの要部拡大断面図
【符号の説明】
【００２９】
２  ヒータ
３  ベース
４  気化室蓋
６  気化室
７  ベースカバー
８  タンク
１０  ポンプ装置
１１  給水パイプ
１２  給水パッキン
１３  吐出口
【図１】
2006034313.tif 000003
【図２】
2006034313.tif 000004